(57)【要約】  支持面（１４）上の家具又は機構を安定させるための家具又は機構（１０）用の安定化装置（１６）、及びそのような安定化装置（１６）を備える家具又は機構（１０）が提供される。安定化装置（１６）は、一端にピストン開口部（１９）を有するハウジング（１８）と、ハウジング（１８）内に移動可能に取り付けられると共に、少なくとも部分的にピストン開口部（１９）の外側に移動可能であってピストン要素（２２）を当該支持面（１４）と係合可能に取り付けられる。安定化装置（１６）は、ピストン要素（２２）の移動を作動させるためにピストン要素（２２）に接続されたアクチュエータ（３０）を更に備え、アクチュエータ（３０）は、モータ（３１）を備える。安定化装置（１６）は、ピストン要素（２２）の作動を制御するためにアクチュエータ（３０）、好ましくは、モータに信号的に接続された制御ユニット（２８）と、モータ（３１）の負荷を測定することができる少なくとも１つの第１のセンサ装置（２６）と、を更に備える。少なくとも１つの第１のセンサ装置（２６）は、少なくとも１つの第１のセンサ装置（２６）からの入力に基づいてピストン要素（２２）の移動を制御できるように制御ユニット（２８）に信号的に接続されている。家具又は機構（１０）の安定化、且つ、水平化させる方法も提供される。
2019536542.tif 000002
【特許請求の範囲】
【請求項１】
支持面（１４）上で家具又は機構（１０）を安定化させるための前記家具又は前記機構用の安定化装置（１６）であって、
一端にピストン開口部（１９）を有するハウジング（１８）と、
前記ハウジング（１８）内に移動可能に取り付けられると共に、少なくとも部分的に前記ピストン開口部（１９）の外側に移動可能であって前記支持面（１４）に係合可能に取り付けられ、且つ、作動させるためのモータ（３１）に接続されたピストン要素（２２）と、
前記ピストン要素（２２）の作動を制御するために前記モータに信号的に接続された制御ユニット（２８）と、
前記モータ（３１）への負荷を測定することができる少なくとも１つの第１のセンサ装置（２７）と、を備え、前記少なくとも１つのセンサ装置（２７）は、ピストン要素（２２）の前記移動が前記少なくとも１つの第１のセンサ（２７）からの入力に基づいて制御されるように前記制御装置（２８）に信号的に接続される、安定化装置。
【請求項２】
前記少なくとも１つの第１のセンサ装置（２７）は、前記モータ（３１）にかかる負荷を測定する負荷測定装置であることを特徴とする、請求項１に記載の安定化装置。
【請求項３】
前記ピストン要素（２２）は、前記支持面（１４）に面する前記ピストン要素（２２）の端部に転動要素（２３）を備えることを特徴とする、請求項１又は２に記載の安定化装置。
【請求項４】
前記安定化装置（１６）は、前記ハウジング（１８）に対して所望の位置で前記ピストン要素（２２）を係止する係止装置を備えることを特徴とする、請求項１乃至３のいずれか一項に記載の安定化装置。
【請求項５】
前記安定化装置（１６）は、無線信号を受信することができる受信機を備え、前記受信機は、前記制御ユニット（２８）に信号的に接続されていることを特徴とする、請求項１乃至４のいずれか一項に記載の安定化装置。
【請求項６】
前記モータ（３１）は、電気モータであることを特徴とする、請求項１乃至６のいずれか一項に記載の安定化装置。
【請求項７】
前記少なくとも１つの第１のセンサ装置（２６）は、前記モータ（３１）が消費している電流を測定するように構成されていることを特徴とする、請求項１乃至６のいずれか一項に記載の安定化装置。
【請求項８】
請求項１乃至７のいずれか一項に記載の少なくとも１つの安定化装置を備える家具又は機構であって、前記少なくとも１つの安定化装置（１６）は、前記家具又は前記機構（１０）に、又は内部に取り付けられ、前記少なくとも１つの安定化装置（１６）の前記ピストン要素（２２）の前記ピストン開口部（１９）は、前記家具又は前記機構（１０）が支持される前記支持面（１４）に面している、家具又は機構。
【請求項９】
前記家具又は前記機構（１０）は、複数の安定化装置（１６）を備え、前記複数の安定化装置（１６）の前記制御ユニット（２８）は、好ましくは無線信号で相互接続されていることを特徴とする、請求項８に記載の家具。
【請求項１０】
前記家具又は前記機構（１０）は、第１の面（１３）と少なくとも１つの第２のセンサ装置（２６）と、を備え、前記少なくとも１つの第２のセンサ装置（２６）は、前記ハウジング（１８）内で、前記第１の面（１３）の位置又は前記ピストン要素（２２）の位置を記録することを特徴とする、請求項８又は９に記載の家具。
【請求項１１】
前記少なくとも１つの第２のセンサ装置（２７）は、加速度計及び／又はジャイロ及び／又は磁力計を備えることを特徴とする、請求項１０に記載の家具。
【請求項１２】
請求項１乃至７のいずれか一項に記載の少なくとも１つの安定化装置（１６）を備える請求項８乃至１１のいずれか一項に記載の家具又は機構（１０）を安定化させる方法であって、
前記家具又は前記機構（１０）を支持面（１４）に配置するステップと、
前記家具又は前記機構（１０）が不安定であるか否かをテストするステップを含み、
前記家具又は前記機構が不安定な場合、
無線開始信号を、前記家具又は前記機構（１０）、好ましくは、前記少なくとも１つの安定化装置（１６）に設けられた受信器に送信し、それによって前記制御ユニット（２８）は、前記ピストン要素（２２）が前記支持面（１４）と接触するまで、前記安定化装置（１６）の前記ハウジングから前記ピストン要素（２２）の移動させる前記モータ（３１）を作動させるステップと、
前記少なくとも１つの第１のセンサ装置（２６）が所定の負荷を超える前記モータ（３１）の負荷を記録したときに、前記ピストン要素の前記移動を停止させるステップと、を備える、家具又は機構を安定化させる方法。
【請求項１３】
前記少なくとも１つのピストン要素（２２）は、そのハウジング（１８）の内外に移動され、前記家具又は前記機構（１０）が安定したときに、前記ハウジング（１８）に対するその位置で係合させることを特徴とする、請求項１２に記載の方法。
【請求項１４】
請求項１乃至７のいずれか一項に記載の少なくとも１つの安定化装置（１６）を備える請求項８乃至１１のいずれか一項に記載の家具又は機構（１０）を水平化させる方法であって、
前記家具又は前記機構を支持面（１４）に配置するステップと、
前記家具又は前記機構（１０）内に、好ましくは、前記少なくとも１つの安定化装置（１６）と共に設けられた受信器に無線開始信号を送信して前記家具又は前記機構を水平にし、それによって、前記制御装置（２８）は、前記家具又は前記機構の第１の面（１３）が基準面と平行であるか否かをテストするステップと、を含み、
前記第１の面（１３）が前記基準面と平行でない場合、
前記家具又は前記機構の第１の面が前記基準面と平行になるまで、少なくとも１つの前記安定化装置（１６）の前記ピストン要素（２２）をそのハウジングから出し入れ移動するステップと、を備える、家具又は機構を水平化させる方法。
【請求項１５】
前記少なくとも１つのピストン要素（２２）は、そのハウジング（１８）の内外に移動され、前記家具又は前記機構（１０）の第１の面（１３）が基準面と平行であるときに、前記ハウジング（１８）に対するその位置で係合させることを特徴とする、請求項１２又は１３に記載の方法。
【発明の詳細な説明】
【技術分野】
【０００１】
本発明は、家具又は機構用の安定化装置、安定化装置を備える家具又は機構、及び家具又は機構を安定化（stabilizing）させる、及び水平化（levelling）させる方法に関する。
【背景技術】
【０００２】
家具、又はベッド、テーブル、洗濯機、医療機器、さまざまな種類の機械などのような装置が、床などの支持面に置かれている場合、ほとんどの場合、家具又は機構が安定していること、即ち家具又は機構が前後に揺れないことが望ましい。また、通常は水平面に対して家具又は機構を水平にできることが望ましいことが多い。１つの家具を安定させるか、又は水平にするための既知の方法は、多数の伸縮自在脚を家具に備えることである。具体的には、伸縮自在脚は、例えば、押し込むことができる弾性スタッドを備え、多数の所定位置で係止（ロック）することができる。この場合、弾性スタッドが押し込まれている間、伸縮自在脚は、スタッドが伸縮自在脚を収容する円筒形スリーブ要素中の相補的な穴に嵌合されて所望の位置で伸縮及び解放される。この解決法の問題点は、この過程で家具を持ち上げなければならないことであり、家具が重い場合には困難になる可能性があり、且つ、スタッドを配置するための正確な位置を見つけるのも困難であり、最適な位置が隣接する２つの穴の間にある時は、家具を完全に安定させる、或いは水平にさせるのが不可能になる。家具を安定化、又は水平化させるために一般的に使用される他の解決策は、ねじ込み及び外すことが可能なねじ要素を設けることである。この場合、支持部材が、支持面上にあるねじ要素の端部に取り付けられる。これも時間のかかる作業であり、家具が重いと操作するのが困難になる場合がある。
【発明の概要】
【発明が解決しようとする課題】
【０００３】
したがって、本発明の目的は、人が操作しやすい方法で家具又は機構を安定させる及び／又は水平にするために使用することができ、正確かつ迅速に家具又は機構を安定させる及び／又は水平にすることができる装置を提供することである。
【課題を解決するための手段】
【０００４】
これらの目的は、請求項１に規定されているような安定化装置、請求項８に規定されているような家具又は機構、請求項１２に規定されているような家具又は機構を安定化させる方法及び請求項１４に規定されているような家具又は機構を水平化させるための方法によって達成される。本発明のさらなる実施形態は、請求項２〜７、９〜１１、１３及び１５に規定されている。
【０００５】
支持面上の家具又は機構を安定化させる家具又は機構用の安定化装置を提供するものであって、安定化装置は、
一端にピストン開口部を有するハウジングと、
ハウジング内に移動可能に取り付けられると共に、少なくとも部分的にピストン開口部の外側に移動可能であって支持面に係合可能に取り付けられ、且つ、作動させるためのモータに接続されたピストン要素と、
ピストン要素の作動を制御するためにモータに信号的に接続された制御ユニットと、
モータへの負荷を測定することができる少なくとも１つの第１のセンサ装置と、を備え、少なくとも１つのセンサ装置は、ピストン要素の移動が少なくとも１つの第１のセンサからの入力に基づいて制御されるように制御装置に信号的に接続される。
【０００６】
上述の安定化装置が家具又は機構に含まれる場合、安定化装置は、安定化ユニットの制御ユニットと無線で通信する送信装置、或いは典型的には標準的なリモコン、又は無線通信するアプリがインストールされている携帯電話の単一のボタンを押すことによって起動することができる。制御ユニットは、無線信号を受信してそれらを制御ユニットに伝達することができる受信装置を有するのが好ましい。更に、受信装置と制御装置とが別々に装置として設けられていてもよく、受信装置と制御装置とが互いに無線で、又は信号ケーブルを介して信号的に接続されていてもよい。更に、家具又は機構の安定化装置は、無線で又は信号ケーブルを介して信号的に接続されてもよい。
【０００７】
少なくとも１つの第１のセンサ装置は、好ましくは、モータの負荷を測定する負荷測定装置、又はモータの負荷が変化していることを記録するために使用される任意の他の種類のセンサであってもよい。
【０００８】
ピストンは安定化装置のハウジング内のシリンダ空間内で移動することが可能である。ピストンは、ピストンの端部に、支持面に面し、ハウジングのピストン開口部から外へ移動することができる転動要素を更に備えることができる。或いは、ピストン要素は転動要素を含まず、ピストン要素自体が支持面と接触されてもよい。この場合、ハウジングのピストン開口部から外へ移動させることができる支持要素はピストンの端部でピストンに取り付けられてもよい。この支持要素は、例えば、支持面への損傷を回避するために、ゴム材料又は他の任意の十分に柔らかい材料で作られてもよい。
【０００９】
安定化装置は、ピストン要素をハウジングに対して所望の位置で係止する係止装置を更に備えてもよい。
【００１０】
更に、安定化装置は無線信号を受信することができる受信装置を備えることができる。受信装置は、制御ユニットに信号的に接続されているのが好ましい。
【００１１】
モータは、電気モータであるのが好ましく、少なくとも１つのセンサ装置は、モータが消費している電流を測定するようになっているのが好ましい。
【００１２】
或いは、モータは、ガスモータ又は油圧モータであってもよく、少なくとも１つの第１のセンサ装置は、モータを駆動するガス又は油圧流体の圧力を測定する圧力測定装置であってもよい。
【００１３】
安定化装置は、典型的には水平面又は垂直面である基準面に対する家具又は機構の第１の面の位置を感知することができる少なくとも１つの第２のセンサ装置を更に備えることができる。
【００１４】
更に、上述のような少なくとも１つの安定化装置を備える家具又は機構も提供される場合、少なくとも１つの安定化装置は、家具又は機構の内部又は内部に取り付けられ、且つ、少なくとも１つの安定化装置のピストン要素は、家具又は機構が支持される支持面に面している。家具又は機構は、典型的にはテーブル、ベッド、キャビネット、机又は他の任意の形態の家具、又は洗濯機、冷蔵庫等のような家電品、又は作業場、病院、大学又は他の種類の研究及び／又は教育施設等のための機械又は機器、又は、典型的に横と縦を安定させる及び／又は水平にさせる必要がある他の任意の装置であってもよい。
【００１５】
家具又は機構は、複数の安定化装置を備えることができ、複数の安定化装置の制御ユニットは、無線信号で信号的に接続されていることが好ましい。したがって、制御ユニットは、無線信号の送信機及び受信機を備えてもよい。
【００１６】
家具又は機構の安定化の間、家具又は機構が不安定であるとき、即ち前後にゆれるとき、第１のセンサ装置は、安定化装置のそれぞれからピストン要素を押し出そうとするモータの負荷を記録（登録）する。家具又は機構がこの位置で支持面から持ち上げられているためにピストン要素を空気中に押し出すだけのモータの負荷は、当然ながら、支持面上に静止しているピストンを押し出そうとしている、すなわち家具又は機構を持ち上げようとしているモータにかかる負荷よりもはるかに小さい。したがって、制御ユニットは、支持面から持ち上げられるピストン要素を有する単一又は複数の安定化装置を決定し、これらのピストン要素が支持面に当たるまでこれらのピストン要素のみを駆動する。この場合、モータはピストン要素を更に押し出すために、支持面から家具又は機構を持ち上げるから、モータに加わる負荷は急速に上昇し始める。全てのピストンが支持面に搭載されている時点で、制御ユニットはモータを停止することができる。
【００１７】
安定化装置、家具又は機構は、第１の面と少なくとも１つの第２のセンサ装置と、を含み、少なくとも１つの第２のセンサ装置は、ハウジング内の第１の面の位置又はピストン要素の位置を登録することができる。少なくとも１つの第２のセンサ装置は、加速度計及び／又はジャイロ及び／又は磁力計を含んでもよい。
【００１８】
上述したような少なくとも１つの安定化装置を備える、上述したような家具又は機構を安定化させる方法であって、
家具又は機構を支持面に配置するステップと、
家具又は機構が不安定であるか否かをテストするステップを含み、家具又は機構が不安定な場合、
無線開始信号を、少なくとも１つの安定化装置に送信し、それによってピストン要素が支持面と接触するまで、安定化装置のハウジングからピストン要素を移動させるモータを作動させるステップと、
少なくとも１つの第１のセンサ装置が所定の負荷を超えるモータの負荷を記録したときに、ピストン要素の移動を停止させるステップと、を備える。
【００１９】
そのハウジングの内外に移動される少なくとも１つのピストン要素は、家具又は機構が安定したときに、ハウジングに対するその位置に係止されてもよい。
【００２０】
上述したような複数の安定化装置を備える、上述したような家具又は機構を水平化させる方法であって、
家具又は機構を支持面に配置するステップと、
少なくとも１つの安定化装置に無線開始信号を送信して家具又は機構を水平にし、それによって制御装置は、家具又は機構の第１の面が基準面と平行であるか否かをテストするステップと、を含み、第１の面が基準面と平行でない場合、
家具又は機構の第１の面が基準面と平行になるまで、少なくとも１つの安定化装置のピストン要素をそのハウジングから出し入れ移動するステップと、を備える。
【００２１】
そのハウジングの内外に移動される少なくとも１つのピストン要素は、家具の第１の面又は装置の基準面と平行であるときに、ハウジングに対するその位置に係止されてもよい。基準面は典型的には水平面である。
【００２２】
基準面は実際の面ではなく、むしろ望ましい基準面として言及されるべきである。この所望の基準面を定義する関連データを制御ユニットに記憶することができ、それによって家具又は機構の第１の面を家具又は機構の水平化の間に比較することができる基準面が存在する。典型的には、基準面は水平面であるので、家具又は機構の平面、第１の面が基準面と平行になるまで、即ち家具又は機構の第１の面が水平になるまで、家具の１つ又はいくつか又は全ての安定化装置又は装置を調整することができる。
【００２３】
本発明の幾つかの非制限的な実施形態が以下で述べられる。
【図面の簡単な説明】
【００２４】
【図１】本発明による安定化装置が設けられた家具又機構の断面を示す概略図である。
【図２】転動体を有する安定化装置が設けられた家具又は機構の一部を簡略化された概略図であり、転動体は支持面と接触している。
【図３】安定化装置が設けられた家具又は機構の一部を簡略化された概略図であり、ピストン要素が支持面と接触している。
【００２５】
全ての図において、同一又は類似の技術的特徴には同一の参照符号が付されていることに留意されたい。
【発明を実施するための形態】
【００２６】
図１には、家具の凹部内に取り付けられた安定化装置１６、又はこの例ではより大きい家具又は機構（図示せず）の脚部要素（leg element）である機構１０が示されている。安定化装置は、家具又は機構の凹部の寸法及び形状に対応する寸法及び形状を有するハウジング１８を備える。
【００２７】
ハウジング１８は円筒形状を備え、ハウジングの一端にピストン開口部１９を有している。安定化装置１６は、ピストン開口部１９が家具又は機構１０を支持する支持面１４に面するように家具又は機構１０の上又は中に取り付けられる。ピストン開口部１９からハウジング１８の内部へのシリンダ空間３４が設けられており、このシリンダ空間３４内には、シリンダ空間３４に出し入れすることができるピストン要素２２が設けられている。
【００２８】
図１に示されるピストン要素２２は、図に示されるように１つ以上の保持要素３８を用いてピストン要素２２内に保持される回転要素２３を備える。転動体２３は、転動体２３と支持体３９との間で自由に動くことができる複数の支持球４０に当接している。ピストン要素２２がハウジング１８から十分に押し出されると、図に示すように、家具又は機構１０が支持面１４から持ち上げられるので、家具又は機構１０は支持面１４を横切って回転するように移動することができる。ピストン要素２２がシリンダ空間３４内に完全に引き込まれると、家具又は機構１０は安定化装置１６のフット要素４２上に載る。
【００２９】
ピストン要素２２はアクチュエータ３０に接続されており、当該アクチュエータ３０がピストン要素２２をシリンダ空間３４に出し入れすることができるようにハウジング１８の軸方向に移動可能に配置されている。アクチュエータ３０は、モータ３１に直接接続されてもよく、又は図１に示されるように、周知の方法でモータ３１によって発生された運動をアクチュエータ３０に伝達するアクチュエータ装置３２を介してモータ３１に接続されてもよい。アクチュエータ装置は、例えば、モータ３１のシャフトの回転運動をアクチュエータ３０の軸方向運動に伝達するための歯車要素を備えることができる。
【００３０】
安定化装置１６は、送信装置から無線信号を受信することができる受信装置を含む制御ユニット２８を含んでいる。送信装置は、典型的には、命令又は指示を制御ユニット２８に送信するためにインストールされたアプリを有するリモートコントロール又はスマートフォン又は類似装置を含んでいる。更に送信装置は、例えばスマートパッド又は同様の装置、コンピュータ機器又はジョイスティック装置でもよく、或いは、単に人の声を用いて、又は人体の１つ又は複数の特定の動作を用いて壁システムを起動及び制御する人であってもよい。必要ならば、制御ユニット２８が無線信号を受信することを確実にするために、更に受信装置は、制御ユニットとは別に設けられてもよいが、制御ユニットに無線又は信号ケーブルで信号的に接続され、家具又は機構１０の適切な位置に取り付けられてもよい。
【００３１】
家具又は機構１０は、複数の安定化装置１６が設けられていることが多く、安定化装置は、制御ユニット２８に加えて互いに通信するように構成されてもよい。その場合、更に、安定化装置１６は、他の安定化装置１６が受信することができる無線信号を送信することができる送信装置を備えている。
【００３２】
更に、安定化装置は、モータ３１の負荷を感知することができる少なくとも１つの第１のセンサ装置２７を有している。好ましくは、モータ３１は電気モータであり、少なくとも１つの第１のセンサ装置２７は、モータ３１が引き込む電流を測定することができるセンサ装置であることが好ましい。ピストン要素２２が空気中に押し出されると、即ち、持ち上げるべき抵抗や重量が基本的にない場合、モータ３１は非常に小さい電流を引き込む。ピストン要素２２が支持面１４に当たるとすぐに、ピストン要素２２を更にシリンダ空間３４から押し出すために、モータは家具又は機構１０の重量を持ち上げなければならず、かなり大きな電流が引き込まれる。これが起こるとすぐに、制御ユニット２８はピストン要素２２の移動を停止し、家具又は機構１０は安定される。家具又は機構１０を安定させるために、２つ以上の安定化装置１６のピストン要素２２をシリンダ空間３４から押し出さなければならない場合も、同じ原理が有効である。移動に対する抵抗が実質的にない限り、ピストン要素２２は押し出されるが、安定化装置１６のモータがより大きな電流を引き込み始めると、つまりピストン要素が支持面１４に接触した時、その安定化装置のモータは、制御ユニット２８によって停止される。全ての安定化装置のピストン要素２２が支持面１４と接触すると、家具又は機構１０は、安定させることができる。
【００３３】
更に、安定化装置１６は、空間内の位置を感知することができる少なくとも１つの第２のセンサ装置２６が設けられてもよい。少なくとも１つの第２のセンサ装置２６が無線又は信号ケーブルを介して制御ユニット２８と信号的に通信できる限り、少なくとも１つの第２のセンサ装置２６を家具又は機構１０自体、安定化装置１６の外側に設けることもできる。
【００３４】
安定化装置１６のハウジングに対するピストン２２の位置を感知する少なくとも１つの第２のセンサ装置２６は、家具又は機構１０の第１の面１３を水平にするために使用することができる。もし所望であれば、第１の面１３は例えば、テーブルの上、洗濯機又は他の種類の家具、装置又は水平にさせる必要な機器である。家具又は機構１０の第１の面１３を用いて安定化装置を較正することによって、制御ユニットは、第１の面１３が水平になったとき、つまり水平面（horizontal plane）内にあるときに、ハウジング内のピストン要素の位置を知るように、家具又は機構１０を水平にする必要があるたびに、ピストン要素２２を同じ位置に移動させることができる。家具又は機構１０が水平ではない支持面１４上に配置される場合、家具又は機構には、制御ユニット２８と信号的に通信を行い、基準面、典型的には水平面に対して、例えば家具の第１の面１３又は機構１０の位置を感知することができる１つ又は複数の第２のセンサ装置２６を設けることができる。この場合、１つ、いくつか又は全ての安定化装置１６のピストン要素２２は水平化された第１の面１３を得るのに必要な位置に移動することができる。少なくとも１つの第２のセンサ装置２６は、家具の第１の面１３又は基準面に対する機構１０の位置決めする、加速度計及び／又はジャイロ及び／又は磁力計を備えてもよい。
【００３５】
図２及び図３には、家具又は機構１０に取り付けられた安定化装置１６の２つの例が示されている。安定化装置１６は非常に概略的に示されているだけであるが、それらは上述し図１に示した例と同様の方法で設計することができる。家具又は機構１０は一部分のみを示しているが、いくつかの安定化装置１６を備えることができる。
【００３６】
図２及び図３に示す家具又は機構１０は、安定化装置１６を備えている。安定化装置１６は、支持面１４に面するピストン開口部１９（図１参照）を有するシリンダ空間３４を備えたハウジング１８を有している。シリンダ空間３４内には、シリンダ空間３４の内外に移動可能なピストン要素２２が設けられている。ピストン要素２２は、例えば図１に関連して上述したものと同様の方法で、モータ、好ましくは電気モータを使用することによって移動される。
【００３７】
図２に示す安定化装置１６の実施形態は、支持面１４に面するピストン要素の端部に転動要素２３を備えている。図２に示されるように、ピストンがその外側位置まで動くと、転動要素は、家具又は機構１０を、支持面１４を横切って転動させることを可能にする。
【００３８】
一方、図３に示す安定化装置１６には、ピストン要素２２の端部に転動要素が設けられていない。その代わりに、ピストン要素２２自体が外へ移動して支持面１４と接触する。ピストン要素２２は、その端部にゴム要素又は似た要素を備え、支持面１４に損傷が生じないようにすることができる。
【００３９】
フット要素４２が支持面１４上に載り、家具が支持面１４上に安全に載るように、図２及び図３に示す安定化装置のピストン要素２２は、シリンダ空間３４内に完全に移動することができる。
【００４０】
安定化装置１６は、図１に示す例に関連して説明したように、制御ユニット２８と、第１のセンサ装置２７と、第２のセンサ装置２６とを更に備える。第１のセンサ装置２７及び第２のセンサ装置２６は両方とも制御ユニット２８に信号的に接続されている。
【００４１】
第１のセンサ装置２７は、安定化装置１６のモータ３１にかかる負荷を測定できるタイプのものである。モータ３１は電気で動くことが好ましく、その場合、第１のセンサ装置２７は、上で詳述したように、モータが引き込む電流を測定することができるセンサ装置であり得る。典型的には、本発明の全ての実施形態の第１のセンサ装置２７は、電流計を備えてもよい。
【００４２】
第２のセンサ装置２６は家具又は機構１０の家具トップ部３３を水平にし、それによって図２及び３に示す第１の面１３を水平にするために使用される。第２のセンサ装置２６は安定化装置１６に含まれてもよく、家具又は機構１０自体に設けられてもよい。本発明の全ての実施形態において、第２のセンサ装置２６は、１つ以上の個別のセンサ、典型的には加速度計及び／又はジャイロ及び／又は磁力計を含んでいてもよい。家具１０の安定化装置１６の第２のセンサ装置２６によって行われた測定に基づいて、制御ユニット２８は家具又は機構１０の第１の面１３を水平にするためにどのピストン要素２２を作動させる必要があるかを計算することができる。水平面に対する第１の面１３の位置に関する連続的なフィードバックを制御ユニット２８に提供するプロセス中に、制御ユニット２８は種々の安定化装置１６のピストン要素２２の移動を連続的に調整することができ、第１の面１３の水平化を迅速かつ正確に実行することができる。
【００４３】
本発明は、非限定的な例を参照してここでは説明された。但し、当業者であれば、添付の特許請求の範囲に定義される本発明の範囲内にある修正及び変更をこの実施形態に対して行うことができることを理解するであろう。
【図１】
2019536542.tif 000003
【図２】
2019536542.tif 000004
【図３】
2019536542.tif 000005
【手続補正書】
【提出日】平成30年11月27日(2018.11.27)
【手続補正１】
【補正対象書類名】明細書
【補正対象項目名】全文
【補正方法】変更
【補正の内容】
【発明の詳細な説明】
【技術分野】
【０００１】
本発明は、家具又は機構用の安定化装置、安定化装置を備える家具又は機構、及び家具又は機構を安定化（stabilizing）させる、及び水平化（levelling）させる方法に関する。
【背景技術】
【０００２】
家具、又はベッド、テーブル、洗濯機、医療機器、さまざまな種類の機械などのような装置が、床などの支持面に置かれている場合、ほとんどの場合、家具又は機構が安定していること、即ち家具又は機構が前後に揺れないことが望ましい。また、通常は水平面に対して家具又は機構を水平にできることが望ましいことが多い。１つの家具を安定させるか、又は水平にするための既知の方法は、多数の伸縮自在脚を家具に備えることである。具体的には、伸縮自在脚は、例えば、押し込むことができる弾性スタッドを備え、多数の所定位置で係止（ロック）することができる。この場合、弾性スタッドが押し込まれている間、伸縮自在脚は、スタッドが伸縮自在脚を収容する円筒形スリーブ要素中の相補的な穴に嵌合されて所望の位置で伸縮及び解放される。この解決法の問題点は、この過程で家具を持ち上げなければならないことであり、家具が重い場合には困難になる可能性があり、且つ、スタッドを配置するための正確な位置を見つけるのも困難であり、最適な位置が隣接する２つの穴の間にある時は、家具を完全に安定させる、或いは水平にさせるのが不可能になる。家具を安定化、又は水平化させるために一般的に使用される他の解決策は、ねじ込み及び外すことが可能なねじ要素を設けることである。この場合、支持部材が、支持面上にあるねじ要素の端部に取り付けられる。これも時間のかかる作業であり、家具が重いと操作するのが困難になる場合がある。
【０００３】
先行技術文献は、米国特許出願公開第２００９／２９９６８９号明細書、欧州特許出願公開第２５２２６１９号明細書、米国特許第５１４３３８６号明細書及び国際公開第２０１５／１１８４９３号を含む。
【発明の概要】
【発明が解決しようとする課題】
【０００４】
したがって、本発明の目的は、人が操作しやすい方法で家具又は機構を安定させる及び／又は水平にするために使用することができ、正確かつ迅速に家具又は機構を安定させる及び／又は水平にすることができる装置を提供することである。
【課題を解決するための手段】
【０００５】
これらの目的は、請求項１に規定されているような安定化装置、請求項８に規定されているような家具又は機構、請求項１２に規定されているような家具又は機構を安定化させる方法及び請求項１４に規定されているような家具又は機構を水平化させるための方法によって達成される。本発明のさらなる実施形態は、請求項２〜７、９〜１１、１３及び１５に規定されている。
【０００６】
支持面上の家具又は機構を安定化させる家具又は機構用の安定化装置を提供するものであって、安定化装置は、
一端にピストン開口部を有するハウジングと、
ハウジング内に移動可能に取り付けられると共に、少なくとも部分的にピストン開口部の外側に移動可能であって支持面に係合可能に取り付けられ、且つ、作動させるためのモータに接続されたピストン要素と、
ピストン要素の作動を制御するためにモータに信号的に接続された制御ユニットと、
モータへの負荷を測定することができる少なくとも１つの第１のセンサ装置と、を備え、少なくとも１つのセンサ装置は、ピストン要素の移動が少なくとも１つの第１のセンサからの入力に基づいて制御されるように制御装置に信号的に接続される。
【０００７】
上述の安定化装置が家具又は機構に含まれる場合、安定化装置は、安定化ユニットの制御ユニットと無線で通信する送信装置、或いは典型的には標準的なリモコン、又は無線通信するアプリがインストールされている携帯電話の単一のボタンを押すことによって起動することができる。制御ユニットは、無線信号を受信してそれらを制御ユニットに伝達することができる受信装置を有するのが好ましい。更に、受信装置と制御装置とが別々に装置として設けられていてもよく、受信装置と制御装置とが互いに無線で、又は信号ケーブルを介して信号的に接続されていてもよい。更に、家具又は機構の安定化装置は、無線で又は信号ケーブルを介して信号的に接続されてもよい。
【０００８】
少なくとも１つの第１のセンサ装置は、好ましくは、モータの負荷を測定する負荷測定装置、又はモータの負荷が変化していることを記録するために使用される任意の他の種類のセンサであってもよい。
【０００９】
ピストンは安定化装置のハウジング内のシリンダ空間内で移動することが可能である。ピストンは、ピストンの端部に、支持面に面し、ハウジングのピストン開口部から外へ移動することができる転動要素を更に備えることができる。或いは、ピストン要素は転動要素を含まず、ピストン要素自体が支持面と接触されてもよい。この場合、ハウジングのピストン開口部から外へ移動させることができる支持要素はピストンの端部でピストンに取り付けられてもよい。この支持要素は、例えば、支持面への損傷を回避するために、ゴム材料又は他の任意の十分に柔らかい材料で作られてもよい。
【００１０】
安定化装置は、ピストン要素をハウジングに対して所望の位置で係止する係止装置を更に備えてもよい。
【００１１】
更に、安定化装置は無線信号を受信することができる受信装置を備えることができる。受信装置は、制御ユニットに信号的に接続されているのが好ましい。
【００１２】
モータは、電気モータであるのが好ましく、少なくとも１つのセンサ装置は、モータが消費している電流を測定するようになっているのが好ましい。
【００１３】
或いは、モータは、ガスモータ又は油圧モータであってもよく、少なくとも１つの第１のセンサ装置は、モータを駆動するガス又は油圧流体の圧力を測定する圧力測定装置であってもよい。
【００１４】
安定化装置は、典型的には水平面又は垂直面である基準面に対する家具又は機構の第１の面の位置を感知することができる少なくとも１つの第２のセンサ装置を更に備えることができる。
【００１５】
更に、上述のような少なくとも１つの安定化装置を備える家具又は機構も提供される場合、少なくとも１つの安定化装置は、家具又は機構の内部又は内部に取り付けられ、且つ、少なくとも１つの安定化装置のピストン要素は、家具又は機構が支持される支持面に面している。家具又は機構は、典型的にはテーブル、ベッド、キャビネット、机又は他の任意の形態の家具、又は洗濯機、冷蔵庫等のような家電品、又は作業場、病院、大学又は他の種類の研究及び／又は教育施設等のための機械又は機器、又は、典型的に横と縦を安定させる及び／又は水平にさせる必要がある他の任意の装置であってもよい。
【００１６】
家具又は機構は、複数の安定化装置を備えることができ、複数の安定化装置の制御ユニットは、無線信号で信号的に接続されていることが好ましい。したがって、制御ユニットは、無線信号の送信機及び受信機を備えてもよい。
【００１７】
家具又は機構の安定化の間、家具又は機構が不安定であるとき、即ち前後にゆれるとき、第１のセンサ装置は、安定化装置のそれぞれからピストン要素を押し出そうとするモータの負荷を記録（登録）する。家具又は機構がこの位置で支持面から持ち上げられているためにピストン要素を空気中に押し出すだけのモータの負荷は、当然ながら、支持面上に静止しているピストンを押し出そうとしている、すなわち家具又は機構を持ち上げようとしているモータにかかる負荷よりもはるかに小さい。したがって、制御ユニットは、支持面から持ち上げられるピストン要素を有する単一又は複数の安定化装置を決定し、これらのピストン要素が支持面に当たるまでこれらのピストン要素のみを駆動する。この場合、モータはピストン要素を更に押し出すために、支持面から家具又は機構を持ち上げるから、モータに加わる負荷は急速に上昇し始める。全てのピストンが支持面に搭載されている時点で、制御ユニットはモータを停止することができる。
【００１８】
安定化装置、家具又は機構は、第１の面と少なくとも１つの第２のセンサ装置と、を含み、少なくとも１つの第２のセンサ装置は、ハウジング内の第１の面の位置又はピストン要素の位置を登録することができる。少なくとも１つの第２のセンサ装置は、加速度計及び／又はジャイロ及び／又は磁力計を含んでもよい。
【００１９】
上述したような少なくとも１つの安定化装置を備える、上述したような家具又は機構を安定化させる方法であって、
家具又は機構を支持面に配置するステップと、
家具又は機構が不安定であるか否かをテストするステップを含み、家具又は機構が不安定な場合、
無線開始信号を、少なくとも１つの安定化装置に送信し、それによってピストン要素が支持面と接触するまで、安定化装置のハウジングからピストン要素を移動させるモータを作動させるステップと、
少なくとも１つの第１のセンサ装置が所定の負荷を超えるモータの負荷を記録したときに、ピストン要素の移動を停止させるステップと、を備える。
【００２０】
そのハウジングの内外に移動される少なくとも１つのピストン要素は、家具又は機構が安定したときに、ハウジングに対するその位置に係止されてもよい。
【００２１】
上述したような複数の安定化装置を備える、上述したような家具又は機構を水平化させる方法であって、
家具又は機構を支持面に配置するステップと、
少なくとも１つの安定化装置に無線開始信号を送信して家具又は機構を水平にし、それによって制御装置は、家具又は機構の第１の面が基準面と平行であるか否かをテストするステップと、を含み、第１の面が基準面と平行でない場合、
家具又は機構の第１の面が基準面と平行になるまで、少なくとも１つの安定化装置のピストン要素をそのハウジングから出し入れ移動するステップと、を備える。
【００２２】
そのハウジングの内外に移動される少なくとも１つのピストン要素は、家具の第１の面又は装置の基準面と平行であるときに、ハウジングに対するその位置に係止されてもよい。基準面は典型的には水平面である。
【００２３】
基準面は実際の面ではなく、むしろ望ましい基準面として言及されるべきである。この所望の基準面を定義する関連データを制御ユニットに記憶することができ、それによって家具又は機構の第１の面を家具又は機構の水平化の間に比較することができる基準面が存在する。典型的には、基準面は水平面であるので、家具又は機構の平面、第１の面が基準面と平行になるまで、即ち家具又は機構の第１の面が水平になるまで、家具の１つ又はいくつか又は全ての安定化装置又は装置を調整することができる。
【００２４】
本発明の幾つかの非制限的な実施形態が以下で述べられる。
【図面の簡単な説明】
【００２５】
【図１】本発明による安定化装置が設けられた家具又機構の断面を示す概略図である。
【図２】転動体を有する安定化装置が設けられた家具又は機構の一部を簡略化された概略図であり、転動体は支持面と接触している。
【図３】安定化装置が設けられた家具又は機構の一部を簡略化された概略図であり、ピストン要素が支持面と接触している。
【００２６】
全ての図において、同一又は類似の技術的特徴には同一の参照符号が付されていることに留意されたい。
【発明を実施するための形態】
【００２７】
図１には、家具の凹部内に取り付けられた安定化装置１６、又はこの例ではより大きい家具又は機構（図示せず）の脚部要素（leg element）である機構１０が示されている。安定化装置は、家具又は機構の凹部の寸法及び形状に対応する寸法及び形状を有するハウジング１８を備える。
【００２８】
ハウジング１８は円筒形状を備え、ハウジングの一端にピストン開口部１９を有している。安定化装置１６は、ピストン開口部１９が家具又は機構１０を支持する支持面１４に面するように家具又は機構１０の上又は中に取り付けられる。ピストン開口部１９からハウジング１８の内部へのシリンダ空間３４が設けられており、このシリンダ空間３４内には、シリンダ空間３４に出し入れすることができるピストン要素２２が設けられている。
【００２９】
図１に示されるピストン要素２２は、図に示されるように１つ以上の保持要素３８を用いてピストン要素２２内に保持される回転要素２３を備える。転動体２３は、転動体２３と支持体３９との間で自由に動くことができる複数の支持球４０に当接している。ピストン要素２２がハウジング１８から十分に押し出されると、図に示すように、家具又は機構１０が支持面１４から持ち上げられるので、家具又は機構１０は支持面１４を横切って回転するように移動することができる。ピストン要素２２がシリンダ空間３４内に完全に引き込まれると、家具又は機構１０は安定化装置１６のフット要素４２上に載る。
【００３０】
ピストン要素２２はアクチュエータ３０に接続されており、当該アクチュエータ３０がピストン要素２２をシリンダ空間３４に出し入れすることができるようにハウジング１８の軸方向に移動可能に配置されている。アクチュエータ３０は、モータ３１に直接接続されてもよく、又は図１に示されるように、周知の方法でモータ３１によって発生された運動をアクチュエータ３０に伝達するアクチュエータ装置３２を介してモータ３１に接続されてもよい。アクチュエータ装置は、例えば、モータ３１のシャフトの回転運動をアクチュエータ３０の軸方向運動に伝達するための歯車要素を備えることができる。
【００３１】
安定化装置１６は、送信装置から無線信号を受信することができる受信装置を含む制御ユニット２８を含んでいる。送信装置は、典型的には、命令又は指示を制御ユニット２８に送信するためにインストールされたアプリを有するリモートコントロール又はスマートフォン又は類似装置を含んでいる。更に送信装置は、例えばスマートパッド又は同様の装置、コンピュータ機器又はジョイスティック装置でもよく、或いは、単に人の声を用いて、又は人体の１つ又は複数の特定の動作を用いて壁システムを起動及び制御する人であってもよい。必要ならば、制御ユニット２８が無線信号を受信することを確実にするために、更に受信装置は、制御ユニットとは別に設けられてもよいが、制御ユニットに無線又は信号ケーブルで信号的に接続され、家具又は機構１０の適切な位置に取り付けられてもよい。
【００３２】
家具又は機構１０は、複数の安定化装置１６が設けられていることが多く、安定化装置は、制御ユニット２８に加えて互いに通信するように構成されてもよい。その場合、更に、安定化装置１６は、他の安定化装置１６が受信することができる無線信号を送信することができる送信装置を備えている。
【００３３】
更に、安定化装置は、モータ３１の負荷を感知することができる少なくとも１つの第１のセンサ装置２７を有している。好ましくは、モータ３１は電気モータであり、少なくとも１つの第１のセンサ装置２７は、モータ３１が引き込む電流を測定することができるセンサ装置であることが好ましい。ピストン要素２２が空気中に押し出されると、即ち、持ち上げるべき抵抗や重量が基本的にない場合、モータ３１は非常に小さい電流を引き込む。ピストン要素２２が支持面１４に当たるとすぐに、ピストン要素２２を更にシリンダ空間３４から押し出すために、モータは家具又は機構１０の重量を持ち上げなければならず、かなり大きな電流が引き込まれる。これが起こるとすぐに、制御ユニット２８はピストン要素２２の移動を停止し、家具又は機構１０は安定される。家具又は機構１０を安定させるために、２つ以上の安定化装置１６のピストン要素２２をシリンダ空間３４から押し出さなければならない場合も、同じ原理が有効である。移動に対する抵抗が実質的にない限り、ピストン要素２２は押し出されるが、安定化装置１６のモータがより大きな電流を引き込み始めると、つまりピストン要素が支持面１４に接触した時、その安定化装置のモータは、制御ユニット２８によって停止される。全ての安定化装置のピストン要素２２が支持面１４と接触すると、家具又は機構１０は、安定させることができる。
【００３４】
更に、安定化装置１６は、空間内の位置を感知することができる少なくとも１つの第２のセンサ装置２６が設けられてもよい。少なくとも１つの第２のセンサ装置２６が無線又は信号ケーブルを介して制御ユニット２８と信号的に通信できる限り、少なくとも１つの第２のセンサ装置２６を家具又は機構１０自体、安定化装置１６の外側に設けることもできる。
【００３５】
安定化装置１６のハウジングに対するピストン２２の位置を感知する少なくとも１つの第２のセンサ装置２６は、家具又は機構１０の第１の面１３を水平にするために使用することができる。もし所望であれば、第１の面１３は例えば、テーブルの上、洗濯機又は他の種類の家具、装置又は水平にさせる必要な機器である。家具又は機構１０の第１の面１３を用いて安定化装置を較正することによって、制御ユニットは、第１の面１３が水平になったとき、つまり水平面（horizontal plane）内にあるときに、ハウジング内のピストン要素の位置を知るように、家具又は機構１０を水平にする必要があるたびに、ピストン要素２２を同じ位置に移動させることができる。家具又は機構１０が水平ではない支持面１４上に配置される場合、家具又は機構には、制御ユニット２８と信号的に通信を行い、基準面、典型的には水平面に対して、例えば家具の第１の面１３又は機構１０の位置を感知することができる１つ又は複数の第２のセンサ装置２６を設けることができる。この場合、１つ、いくつか又は全ての安定化装置１６のピストン要素２２は水平化された第１の面１３を得るのに必要な位置に移動することができる。少なくとも１つの第２のセンサ装置２６は、家具の第１の面１３又は基準面に対する機構１０の位置決めする、加速度計及び／又はジャイロ及び／又は磁力計を備えてもよい。
【００３６】
図２及び図３には、家具又は機構１０に取り付けられた安定化装置１６の２つの例が示されている。安定化装置１６は非常に概略的に示されているだけであるが、それらは上述し図１に示した例と同様の方法で設計することができる。家具又は機構１０は一部分のみを示しているが、いくつかの安定化装置１６を備えることができる。
【００３７】
図２及び図３に示す家具又は機構１０は、安定化装置１６を備えている。安定化装置１６は、支持面１４に面するピストン開口部１９（図１参照）を有するシリンダ空間３４を備えたハウジング１８を有している。シリンダ空間３４内には、シリンダ空間３４の内外に移動可能なピストン要素２２が設けられている。ピストン要素２２は、例えば図１に関連して上述したものと同様の方法で、モータ、好ましくは電気モータを使用することによって移動される。
【００３８】
図２に示す安定化装置１６の実施形態は、支持面１４に面するピストン要素の端部に転動要素２３を備えている。図２に示されるように、ピストンがその外側位置まで動くと、転動要素は、家具又は機構１０を、支持面１４を横切って転動させることを可能にする。
【００３９】
一方、図３に示す安定化装置１６には、ピストン要素２２の端部に転動要素が設けられていない。その代わりに、ピストン要素２２自体が外へ移動して支持面１４と接触する。ピストン要素２２は、その端部にゴム要素又は似た要素を備え、支持面１４に損傷が生じないようにすることができる。
【００４０】
フット要素４２が支持面１４上に載り、家具が支持面１４上に安全に載るように、図２及び図３に示す安定化装置のピストン要素２２は、シリンダ空間３４内に完全に移動することができる。
【００４１】
安定化装置１６は、図１に示す例に関連して説明したように、制御ユニット２８と、第１のセンサ装置２７と、第２のセンサ装置２６とを更に備える。第１のセンサ装置２７及び第２のセンサ装置２６は両方とも制御ユニット２８に信号的に接続されている。
【００４２】
第１のセンサ装置２７は、安定化装置１６のモータ３１にかかる負荷を測定できるタイプのものである。モータ３１は電気で動くことが好ましく、その場合、第１のセンサ装置２７は、上で詳述したように、モータが引き込む電流を測定することができるセンサ装置であり得る。典型的には、本発明の全ての実施形態の第１のセンサ装置２７は、電流計を備えてもよい。
【００４３】
第２のセンサ装置２６は家具又は機構１０の家具トップ部３３を水平にし、それによって図２及び３に示す第１の面１３を水平にするために使用される。第２のセンサ装置２６は安定化装置１６に含まれてもよく、家具又は機構１０自体に設けられてもよい。本発明の全ての実施形態において、第２のセンサ装置２６は、１つ以上の個別のセンサ、典型的には加速度計及び／又はジャイロ及び／又は磁力計を含んでいてもよい。家具１０の安定化装置１６の第２のセンサ装置２６によって行われた測定に基づいて、制御ユニット２８は家具又は機構１０の第１の面１３を水平にするためにどのピストン要素２２を作動させる必要があるかを計算することができる。水平面に対する第１の面１３の位置に関する連続的なフィードバックを制御ユニット２８に提供するプロセス中に、制御ユニット２８は種々の安定化装置１６のピストン要素２２の移動を連続的に調整することができ、第１の面１３の水平化を迅速かつ正確に実行することができる。
【００４４】
本発明は、非限定的な例を参照してここでは説明された。但し、当業者であれば、添付の特許請求の範囲に定義される本発明の範囲内にある修正及び変更をこの実施形態に対して行うことができることを理解するであろう。
【手続補正２】
【補正対象書類名】特許請求の範囲
【補正対象項目名】全文
【補正方法】変更
【補正の内容】
【特許請求の範囲】
【請求項１】
支持面（１４）上で家具又は機構（１０）を安定化させるための安定化装置（１６）を備える前記家具又は前記機構であって、
一端にピストン開口部（１９）を有するハウジング（１８）と、
前記ハウジング（１８）内に移動可能に取り付けられると共に、少なくとも部分的に前記ピストン開口部（１９）の外側に移動可能に取り付けられ、前記支持面（１４）と係合可能なピストン要素（２２）とを含み、当該ピストン要素（２２）は、作動させるためのモータ（３１）に接続されており、且つ前記支持面（１４）に面する前記端部に転動要素（２３）を備え、
前記ピストン要素（２２）の作動を制御するために前記モータに信号的に接続された制御ユニット（２８）と、
送信機から無線信号を受信する受信機が配置され、前記無線信号は、リモコン、携帯電話又は人の声からの信号を含み、前記受信機は、前記制御ユニット（２８）に信号的に接続され、
前記モータ（３１）への負荷を測定することができる少なくとも１つの第１のセンサ装置（２７）と、を備え、前記少なくとも１つのセンサ装置（２７）は、ピストン要素（２２）の前記移動が前記少なくとも１つの第１のセンサ（２７）からの入力に基づいて制御されるように前記制御装置（２８）に信号的に接続され、
前記少なくとも１つの安定化装置（１６）は、前記家具又は前記機構１０に又は内部に取り付けられ、前記少なくとも１つの安定化装置（１６）の前記ピストン要素（２２）の前記ピストン開口部（１９）は、前記家具又は前記機構（１０）が支持される前記支持面（１４）に面しており、更に、前記家具又は前記機構（１０）は、第１の面（１３）と少なくとも１つの第２のセンサ装置（２６）と、を備え、前記少なくとも１つの第２のセンサ装置（２６）は、前記第１の面（１３）の位置又は前記ハウジング（１８）内の前記ピストン要素（２２）の位置を記録する、家具又は機構。
【請求項２】
前記少なくとも１つの第１のセンサ装置（２７）は、前記モータ（３１）にかかる負荷を測定する負荷測定装置であることを特徴とする、請求項１に記載の家具又は機構。
【請求項３】
前記安定化装置（１６）は、前記ハウジング（１８）に対して所望の位置で前記ピストン要素（２２）を係止する係止装置を備えることを特徴とする、請求項１又は２に記載の家具又は機構。
【請求項４】
前記モータ（３１）は、電気モータであることを特徴とする、請求項１乃至３のいずれか一項に記載の家具又は機構。
【請求項５】
前記少なくとも１つの第１のセンサ装置（２６）は、前記モータ（３１）が消費している電流を測定するように構成されていることを特徴とする、請求項１乃至４のいずれか一項に記載の家具又は機構。
【請求項６】
前記家具又は前記機構（１０）は、複数の安定化装置（１６）を備え、前記複数の安定化装置（１６）の前記制御ユニット（２８）は、好ましくは無線信号で相互接続されていることを特徴とする、請求項１乃至５のいずれか一項に記載の家具。
【請求項７】
少なくとも１つの第２のセンサ装置（２７）は、加速度計及び／又はジャイロ及び／又は磁力計を備えることを特徴とする、請求項１乃至６のいずれか一項に記載の家具。
【請求項８】
少なくとも１つの安定化装置（１６）を備える請求項１乃至７のいずれか一項に記載の家具又は機構（１０）を安定化させる方法であって、
前記家具又は前記機構（１０）を支持面（１４）に配置するステップと、
前記家具又は前記機構（１０）が不安定であるか否かをテストするステップを含み、
前記家具又は前記機構が不安定な場合、
無線開始信号を、前記家具又は前記機構（１０）、好ましくは、前記少なくとも１つの安定化装置（１６）に設けられた受信器に送信し、それによって前記制御ユニット（２８）は、前記ピストン要素（２２）が前記支持面（１４）と接触するまで、前記安定化装置（１６）の前記ハウジングから前記ピストン要素（２２）を移動させる前記モータ（３１）を作動させるステップと、
前記少なくとも１つの第１のセンサ装置（２６）が所定の負荷を超える前記モータ（３１）の負荷を記録したときに、前記ピストン要素の前記移動を停止させるステップと、を備える、家具又は機構を安定化させる方法。
【請求項９】
前記少なくとも１つのピストン要素（２２）は、そのハウジング（１８）の内又は外に移動され、前記家具又は前記機構（１０）が安定したときに、前記ハウジング（１８）に対するその位置で係合させることを特徴とする、請求項８に記載の方法。
【請求項１０】
少なくとも１つの安定化装置（１６）を備える請求項１乃至７のいずれか一項に記載の家具又は機構（１０）を水平化させる方法であって、
前記家具又は前記機構を支持面（１４）に配置するステップと、
前記家具又は前記機構（１０）内に、好ましくは、前記少なくとも１つの安定化装置（１６）と共に設けられた受信器に無線開始信号を送信して前記家具又は前記機構を水平にし、それによって、前記制御装置（２８）は、前記家具又は前記機構の第１の面（１３）が基準面と平行であるか否かをテストするステップと、を含み、
前記第１の面（１３）が前記基準面と平行でない場合、
前記家具又は前記機構の第１の面が前記基準面と平行になるまで、少なくとも１つの前記安定化装置（１６）の前記ピストン要素（２２）をそのハウジングから出し入れ移動するステップと、を備える、家具又は機構を水平化させる方法。
【請求項１１】
前記少なくとも１つのピストン要素（２２）は、そのハウジング（１８）の内外に移動され、前記家具又は前記機構（１０）の第１の面（１３）が基準面と平行であるときに、前記ハウジング（１８）に対するその位置で係合させることを特徴とする、請求項８又は９に記載の方法。
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
支持面（１４）上で家具又は機構（１０）を安定化させるための前記家具又は前記機構用の安定化装置（１６）であって、
一端にピストン開口部（１９）を有するハウジング（１８）と、
前記ハウジング（１８）内に移動可能に取り付けられると共に、少なくとも部分的に前記ピストン開口部（１９）の外側に移動可能に取り付けられ、前記支持面（１４）と係合可能なピストン要素（２２）とを含み、当該ピストン要素（２２）は、作動させるためのモータ（３１）に接続されており、且つ前記支持面（１４）に面する前記端部に転動要素（２３）を備え、
前記ピストン要素（２２）の作動を制御するために前記モータに信号的に接続された制御ユニット（２８）と、
送信機から無線信号を受信する受信機を有し、前記無線信号は、リモコン、携帯電話又は人の声からの信号を含み、前記受信機は、前記制御ユニット（２８）に信号的に接続されており、
前記モータ（３１）への負荷を測定することができる少なくとも１つの第１のセンサ装置（２７）と、を備え、前記少なくとも１つのセンサ装置（２７）は、ピストン要素（２２）の前記移動が前記少なくとも１つの第１のセンサ（２７）からの入力に基づいて制御されるように前記制御装置（２８）に信号的に接続される、安定化装置。
【請求項２】
前記少なくとも１つの第１のセンサ装置（２７）は、前記モータ（３１）にかかる負荷を測定する負荷測定装置であることを特徴とする、請求項１に記載の安定化装置。
【請求項３】
前記安定化装置（１６）は、前記ハウジング（１８）に対して所望の位置で前記ピストン要素（２２）を係止する係止装置を備えることを特徴とする、請求項１又は２に記載の安定化装置。
【請求項４】
前記モータ（３１）は、電気モータであることを特徴とする、請求項１乃至３のいずれか一項に記載の安定化装置。
【請求項５】
前記少なくとも１つの第１のセンサ装置（２６）は、前記モータ（３１）が消費している電流を測定するように構成されていることを特徴とする、請求項１乃至４のいずれか一項に記載の安定化装置。
【請求項６】
請求項１乃至５のいずれか一項に記載の少なくとも１つの安定化装置を備える家具又は装置であって、前記少なくとも１つの安定化装置（１６）は、前記家具又は前記機構（１０）に、又は内部に取り付けられ、前記少なくとも１つの安定化装置（１６）の前記ピストン要素（２２）の前記ピストン開口部（１９）は、前記家具又は前記機構（１０）が支持される前記支持面（１４）に面している、家具又は機構。
【請求項７】
前記家具又は前記機構（１０）は、複数の安定化装置（１６）を備え、前記複数の安定化装置（１６）の前記制御ユニット（２８）は、好ましくは無線信号で相互接続されていることを特徴とする、請求項６に記載の家具。
【請求項８】
前記家具又は前記機構（１０）は、第１の面（１３）と少なくとも１つの第２のセンサ装置（２６）と、を備え、前記少なくとも１つの第２のセンサ装置（２６）は、前記ハウジング（１８）内で、前記第１の面（１３）の位置又は前記ピストン要素（２２）の位置を記録することを特徴とする、請求項６又は７に記載の家具。
【請求項９】
少なくとも１つの第２のセンサ装置（２７）は、加速度計及び／又はジャイロ及び／又は磁力計を備えることを特徴とする、請求項８に記載の家具。
【請求項１０】
請求項１乃至５のいずれか一項に記載の少なくとも１つの安定化装置（１６）を備える請求項６乃至９のいずれか一項に記載の家具又は機構（１０）を安定化させる方法であって、
前記家具又は前記機構（１０）を支持面（１４）に配置するステップと、
前記家具又は前記機構（１０）が不安定であるか否かをテストするステップを含み、前記家具又は前記機構が不安定な場合、
無線開始信号を、前記家具又は前記機構（１０）、好ましくは、前記少なくとも１つの安定化装置（１６）に設けられた受信器に送信し、それによって前記制御ユニット（２８）は、前記ピストン要素（２２）が前記支持面（１４）と接触するまで、前記安定化装置（１６）の前記ハウジングから前記ピストン要素（２２）を移動させる前記モータ（３１）を作動させるステップと、
前記少なくとも１つの第１のセンサ装置（２７）が所定の負荷を超える前記モータ（３１）の負荷を記録したときに、前記ピストン要素の前記移動を停止させるステップと、を備える、家具又は機構を安定化させる方法。
【請求項１１】
前記少なくとも１つのピストン要素（２２）は、そのハウジング（１８）の内又は外に移動され、前記家具又は前記機構（１０）が安定したときに、前記ハウジング（１８）に対するその位置で係合させることを特徴とする、請求項１０に記載の方法。
【請求項１２】
請求項１乃至５のいずれか一項に記載の少なくとも１つの安定化装置（１６）を備える請求項６乃至９のいずれか一項に記載の家具又は機構（１０）を水平化させる方法であって、
前記家具又は前記機構を支持面（１４）に配置するステップと、
前記家具又は前記機構（１０）内に、好ましくは、前記少なくとも１つの安定化装置（１６）と共に設けられた受信器に無線開始信号を送信して前記家具又は前記機構を水平にし、それによって、前記制御装置（２８）は、前記家具又は前記機構の第１の面（１３）が基準面と平行であるか否かをテストするステップと、を含み、
前記第１の面（１３）が前記基準面と平行でない場合、
前記家具又は前記機構の第１の面が前記基準面と平行になるまで、少なくとも１つの前記安定化装置（１６）の前記ピストン要素（２２）をそのハウジングから出し入れ移動するステップと、を備える、家具又は機構を水平化させる方法。
【請求項１３】
前記少なくとも１つのピストン要素（２２）は、そのハウジング（１８）の内外に移動され、前記家具又は前記機構（１０）の第１の面（１３）が基準面と平行であるときに、前記ハウジング（１８）に対するその位置で係合させることを特徴とする、請求項１１又は１２に記載の方法。
【国際調査報告】
2019536542.tif 000006
2019536542.tif 000007